【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】  免疫原性を保持しかつ免疫原性の組成物もしくはワクチン中に組み込まれそして脊椎動物に投与される場合にＲＳＶでの脊椎動物のその後の感染に際して高められた疾患を誘発しない、ＲＳＶの改変Ｇタンパク質もしくはポリペプチド。
【請求項２】  高められた疾患が異型性肺炎である、請求項１に記載の改変Ｇタンパク質もしくはポリペプチド。
【請求項３】  異型性肺炎が肺の好酸球増多症である、請求項２に記載の改変Ｇタンパク質もしくはポリペプチド。
【請求項４】  改変がアミノ酸１８４からアミノ酸１９８までの領域中にある、請求項１に記載の改変Ｇタンパク質もしくはポリペプチド。
【請求項５】  改変が、アミノ酸配列アラニン−イソロイシン−システイン−リシン−アルギニン−イソロイシン−プロリン−アスパラギン−リシン−リシン−プロリン−グリシン−リシン−リシン−トレオニンを有する領域もしくはその生物学的同等物中にある、請求項１に記載の改変Ｇタンパク質もしくはポリペプチド。
【請求項６】  改変が、野生型Ｇタンパク質に関して改変Ｇタンパク質もしくはポリペプチドによるＩＬ−５分泌に対するプライミングの阻害をもたらす、請求項１に記載の改変Ｇタンパク質もしくはポリペプチド。
【請求項７】  ＲＳＶの改変Ｇタンパク質もしくはポリペプチドをコードする核酸分子であって、前記改変Ｇタンパク質もしくはポリペプチドが、免疫原性を保持しかつ免疫原性の組成物もしくはワクチン中に組み込まれそして脊椎動物に投与される場合にＲＳＶでの脊椎動物のその後の感染に際して高められた疾患を誘発しない、核酸分子。
【請求項８】  改変がアミノ酸１８４からアミノ酸１９８までの領域をコードする核酸分子の領域中にある、請求項７に記載の核酸分子。
【請求項９】  改変が、アミノ酸配列アラニン−イソロイシン−システイン−リシン−アルギニン−イソロイシン−プロリン−アスパラギン−リシン−リシン−プロリン−グリシン−リシン−リシン−トレオニンを有する領域もしくはその生物学的同等物中にある、請求項７に記載の核酸分子。
【請求項１０】  調節配列に操作可能に連結される請求項７に記載の核酸分子を含んで成る核酸構築物。
【請求項１１】  ａ）ＲＳＶの改変Ｇタンパク質もしくはポリペプチドをコードする核酸分子であって、前記改変Ｇタンパク質もしくはポリペプチドが、免疫原性を保持しかつ免疫原性の組成物もしくはワクチン中に組み込まれそして脊椎動物に投与される場合にＲＳＶでの脊椎動物のその後の感染に際して高められた疾患を誘発しない核酸分子；
ｂ）ＲＳＶのＦタンパク質の全部もしくは免疫原性の部分をコードする核酸分子；ならびに
ｃ）（ａ）および（ｂ）双方に操作可能に連結される調節配列、
を含んで成る、キメラ核酸構築物。
【請求項１２】  請求項１０に記載の核酸構築物を含んで成る組換え宿主細胞。
【請求項１３】  請求項１１に記載の核酸構築物を含んで成る組換え宿主細胞。
【請求項１４】  生理学的に許容できる媒体、および、免疫原性を保持しかつ免疫原性の組成物もしくはワクチン中に組み込まれそして脊椎動物に投与される場合にＲＳＶでの脊椎動物のその後の感染に際して高められた疾患を誘発しない、ＲＳＶの改変Ｇタンパク質もしくはポリペプチドを含んで成る、免疫原性組成物。
【請求項１５】  免疫原性組成物が、野生型Ｇタンパク質を含んで成る免疫原性組成物に関してＩＬ−５分泌に対するプライミングの阻害をもたらす、請求項１４に記載の免疫原性組成物。
【請求項１６】  改変が、アミノ酸１８４からアミノ酸１９８までの領域中にある、請求項１４に記載の免疫原性組成物。
【請求項１７】  生理学的に許容できる媒体、ＲＳＶのＦタンパク質の全部もしくは一部分、および、免疫原性を保持しかつ免疫原性の組成物もしくはワクチン中に組み込まれそして脊椎動物に投与される場合にＲＳＶでの脊椎動物のその後の感染に際して高められた疾患を誘発しない、ＲＳＶの改変Ｇタンパク質もしくはポリペプチドを含んで成る、免疫原性組成物。
【請求項１８】  免疫原性組成物が、野生型Ｇタンパク質に関してＩＬ−５分泌に対するプライミングの阻害をもたらす、請求項１７に記載の免疫原性組成物。
【請求項１９】  改変が、アミノ酸１８４からアミノ酸１９８までの領域中にある、請求項１７に記載の免疫原性組成物。
【請求項２０】  改変が、アミノ酸配列アラニン−イソロイシン−システイン−リシン−アルギニン−イソロイシン−プロリン−アスパラギン−リシン−リシン−プロリン−グリシン−リシン−リシン−トレオニンを有する領域もしくはその生物学的同等物中にある、請求項１７に記載の免疫原性組成物。
【請求項２１】  免疫原性を保持しかつワクチン中に組み込まれそして脊椎動物に投与される場合にＲＳＶでの脊椎動物のその後の感染に際して高められた疾患を誘発することなく保護を提供する、ＲＳＶの改変Ｇタンパク質もしくはポリペプチドの免疫学的に有効な量を含んで成る、ワクチン組成物。
【請求項２２】  改変が、アミノ酸１８４からアミノ酸１９８までの領域中にある、請求項２１に記載のワクチン組成物。
【請求項２３】  改変が、アミノ酸配列アラニン−イソロイシン−システイン−リシン−アルギニン−イソロイシン−プロリン−アスパラギン−リシン−リシン−プロリン−グリシン−リシン−リシン−トレオニンを有する領域もしくはその生物学的同等物中にある、請求項２２に記載のワクチン組成物。
【請求項２４】  ＲＳＶのＦタンパク質の全部もしくは一部分の免疫学的に有効な量、および、免疫原性を保持しかつワクチン中に組み込まれそして脊椎動物に投与される場合にＲＳＶでの脊椎動物のその後の感染に際して高められた疾患を誘発することなく保護を提供する、ＲＳＶの改変Ｇタンパク質もしくはポリペプチドの免疫学的に有効な量を含んで成る、ワクチン組成物。
【請求項２５】  改変が、アミノ酸１８４からアミノ酸１９８までの領域中にある、請求項２４に記載のワクチン組成物。
【請求項２６】  改変が、アミノ酸配列アラニン−イソロイシン−システイン−リシン−アルギニン−イソロイシン−プロリン−アスパラギン−リシン−リシン−プロリン−グリシン−リシン−リシン−トレオニンを有する領域もしくはその生物学的同等物中にある、請求項２５に記載のワクチン組成物。
【請求項２７】  アジュバントをさらに含んで成る、請求項２１に記載のワクチン組成物。
【請求項２８】  アジュバントをさらに含んで成る、請求項２４に記載のワクチン組成物。
【請求項２９】  ワクチンのような医薬の製造のための、請求項１に記載の改変Ｇタンパク質もしくはポリペプチドの使用方法。
【請求項３０】  生理学的に許容できるベヒクルおよびＲＳＶの改変Ｇタンパク質もしくはポリペプチドをコードする核酸分子の有効量を含んで成るワクチンであって、前記改変Ｇタンパク質もしくはポリペプチドが、免疫原性を保持しかつワクチン中に組み込まれそして脊椎動物に投与される場合にＲＳＶでの脊椎動物のその後の感染に際して高められた疾患を誘発することなく保護を提供するワクチン。
【請求項３１】  トランスフェクション促進剤をさらに含んで成る、請求項３０に記載のワクチン。
【請求項３２】  脊椎動物への投与に際して、改変Ｇタンパク質もしくはポリペプチドが発現され、そして免疫原性であるが、しかしＲＳＶでの脊椎動物のその後の感染に際して高められた疾患を誘発しないように、ＲＳＶの改変Ｇタンパク質もしくはポリペプチドをコードする核酸配列を異種核酸区分としてその内に挿入した生存する弱毒化された病原体の免疫学的に有効な量を含んで成る、ワクチン組成物。
【請求項３３】  生存する弱毒化された病原体が弱毒化された細菌である、請求項３２に記載のワクチン組成物。
【請求項３４】  生存する弱毒化された細菌がサルモネラ属（Ｓａｌｍｏｎｅｌｌａ）である、請求項３３に記載のワクチン組成物。
【請求項３５】  生存する弱毒化された病原体が弱毒化されたウイルスである、請求項３２に記載のワクチン組成物。
【請求項３６】  生存する弱毒化されたウイルスが、弱毒化ベネズエラウマ脳炎ウイルスである、請求項３５に記載のワクチン組成物。
【請求項３７】  免疫原性を保持しかつ免疫原性の組成物もしくはワクチン中に組み込まれそして脊椎動物に投与される場合にＲＳＶでの脊椎動物のその後の感染に際して高められた疾患を誘発しない、ＲＳＶの改変Ｇタンパク質もしくはポリペプチドであって、前記タンパク質もしくはポリペプチドが配列番号３２および配列番号３３から成る群から選択されるアミノ酸配列を有する、タンパク質もしくはポリペプチド。
【請求項３８】  生理学的に許容できる媒体、および、免疫原性を保持しかつ免疫原性の組成物もしくはワクチン中に組み込まれそして脊椎動物に投与される場合にＲＳＶでの脊椎動物のその後の感染に際して高められた疾患を誘発しない、ＲＳＶの改変Ｇタンパク質もしくはポリペプチドを含んで成る免疫原性組成物であって、前記タンパク質もしくはポリペプチドが配列番号３２および配列番号３３から成る群から選択されるアミノ酸配列を有する組成物。
【請求項３９】  免疫原性を保持しかつワクチン中に組み込まれそして脊椎動物に投与される場合にＲＳＶでの脊椎動物のその後の感染に際して高められた疾患を誘発することなく保護を提供する、ＲＳＶの改変Ｇタンパク質もしくはポリペプチドの免疫学的に有効な量を含んで成るワクチン組成物であって、前記タンパク質もしくはポリペプチドが配列番号３２および配列番号３３から成る群から選択されるアミノ酸配列を有する組成物。